(57)【特許請求の範囲】
【請求項１】
枠状に形成された力骨に取付けられる外面パネル、内面パネルに所望の窓孔を穿設し、前記外面パネル裏面側、前記内面パネルの裏面側にそれぞれ前記窓孔と同形状又は同形状以上の大きさの窓孔が穿設された芯材を配設し、両芯材間の周辺部に板受材が挾設され、該板受材は枠状に形成された少なくとも一辺の力骨の近傍迄延び、前記板受材により前記両芯材間に窓板材保持用の間隙が形成され、前記一辺の力骨に対向する間隙の一辺に開放部が形成され、前記一辺の力骨に窓板材挿入孔が前記開放部に対向して設けられ、前記窓板材を前記窓板材挿入孔、前記開放部より前記間隙に挿入したことを特徴とする窓構造。
【請求項２】
前記板受材は弾性材料である請求項１の窓構造。
【発明の詳細な説明】
【０００１】
【発明の属する技術分野】
本発明は、ガラス等窓板材が嵌込まれる窓構造に関するものである。
【０００２】
【従来の技術】
建物の出入口部等に設けられる扉や各室を仕切る間仕切等には採光上等の理由から窓が設けられる場合があり、斯かる窓には一般にガラス等窓板材が嵌込まれる様になっている。
【０００３】
図７は窓構造の縦断面を示しており、図中１は扉体であり、該扉体１は互いに対向する金属製、例えば鋼板製の外面パネル２と内面パネル３の間に紙或は断熱材等の充填材４を充填させ形成されている。前記両パネル２，３の所要位置には矩形の窓孔５が穿設され、前記両パネル２，３の前記窓孔５全周縁部に金属製、例えば鋼板製の窓枠力骨６が両パネル２，３間に掛渡され設けられている。
【０００４】
該窓枠力骨６には全周に亘り柄杓型断面で金属製、例えば鋼板製の外面側押縁７が設けられている。該外面側押縁７の柄断面部８は前記窓枠力骨６に所要数の丸頭タッピンネジ９により螺子止めされている。又、前記窓枠力骨６には全周に亘り金属製、例えば鋼板製の内面側押縁１０が所要数の丸皿タッピンネジ１１により螺子止めされ、前記外面側押縁７と内面側押縁１０とで窓材嵌込溝１２が形成される様になっている。尚、横断面についての構造は縦断面の構造と同様であり、図示は省略する。
【０００５】
窓板材、例えばガラス板１３を取付ける場合は、前記内面側押縁１０を取外した状態で前記窓材嵌込溝１２の溝底に合成ゴム等バックアップ材１４を敷設した後、内側から前記ガラス板１３を嵌込む。前記丸皿タッピンネジ１１で前記内面側押縁１０を前記窓枠力骨６に取付け、前記ガラス板１３と前記外面側押縁７及び内面側押縁１０との隙間にコーキング材１５を充填し、前記ガラス板１３を固定する。
【０００６】
次に図８及び図９に於いて、従来の他の窓構造を説明する。
【０００７】
尚、図８は窓構造の縦断面、図９は横断面を示し、図中、図７中と同等のものには同符号を付し、説明は省略する。
【０００８】
外面パネル２及び内面パネル３の窓孔５全周縁部に窓枠力骨１６が両パネル２，３間に掛渡され設けられ、該窓枠力骨１６の左右両辺部及び上辺部には窓材嵌込溝１７が形成されている。又、前記窓枠力骨１６の下辺部の内面側部分には金属製、例えば鋼板製の押縁１８が皿タッピンネジ１９により螺子止めされ、前記窓枠力骨１６の下辺部と前記押縁１８とで前記窓材嵌込溝１７に連続する窓材嵌込溝２０が形成される様になっている。
【０００９】
窓板材、例えばガラス板１３を取付ける場合には、前記押縁１８を取外した状態で前記窓材嵌込溝１７，２０の溝底に合成ゴム等のバックアップ材１４を敷設した後、内側から左右どちらか一方、例えば右側の前記窓材嵌込溝１７に前記ガラス板１３の右側端部を嵌込む。次に、前記ガラス板１３を左方に若干スライドさせ、該ガラス板１３を左右の前記窓材嵌込溝１７間の中央に配置させる。前記皿タッピンネジ１９で前記押縁１８を前記窓枠力骨１６の下辺部の内面側部分に取付け、前記ガラス板１３と前記窓枠力骨１６及び押縁１８との間に前記コーキング材１５を充填し、前記ガラス板１３を固定する。
【００１０】
【発明が解決しようとする課題】
上記した従来の窓構造では、前記窓孔５の外形に合わせて前記窓材嵌込溝１２，１７，２０を形成させる必要があるが、該窓材嵌込溝１２，１７，２０を形成する前記外面側押縁７、内面側押縁１０、窓枠力骨１６、押縁１８は曲げ加工で製作しているので、曲線を有する形状等複雑な形状に加工するのは困難であり、窓形状は矩形等の単純な形状に制限されるという問題があった。
【００１１】
又、防犯上、着脱可能な前記内面側押縁１０や押縁１８は外側に設けることができないので、前記扉体１には方向性があり、製作時に反対にならない様注意を払う必要があり、製作作業が面倒であると共に扉体の共通化が困難であった。
【００１２】
本発明は斯かる実情に鑑み、加工を容易にし、窓孔形状のデザインの自由度の向上を図ると共に扉体の方向性を無くし扉体の共通化を図るものである。
【００１３】
【課題を解決するための手段】
本発明は、枠状に形成された力骨に取付けられる外面パネル、内面パネルに所望の窓孔を穿設し、前記外面パネル裏面側、前記内面パネルの裏面側にそれぞれ前記窓孔と同形状又は同形状以上の大きさの窓孔が穿設された芯材を配設し、両芯材間の周辺部に板受材が挾設され、該板受材は枠状に形成された少なくとも一辺の力骨の近傍迄延び、前記板受材により前記両芯材間に窓板材保持用の間隙が形成され、前記一辺の力骨に対向する間隙の一辺に開放部が形成され、前記一辺の力骨に窓板材挿入孔が前記開放部に対向して設けられ、前記窓板材を前記窓板材挿入孔、前記開放部より前記間隙に挿入した窓構造に係り、又前記板受材は弾性材料である窓構造に係るものである。
【００１４】
【発明の実施の形態】
以下、図面を参照しつつ本発明の実施の形態を説明する。
【００１５】
図１〜図６は本発明を扉体に実施した場合を示しており、縦長長方形の枠状に形成された力骨２５に両面側から外面パネル２６、内面パネル２７が取付けられ、該両パネル２６，２７の所要位置、例えば上部中央部分に各種形状、例えば星形の窓孔２８が穿設されている。前記外面パネル２６の裏面側及び前記内面パネル２７の裏面側にはそれぞれ加工性の良い材質、例えば木製の芯材２９，３０が配設され、該各芯材２９，３０には前記窓孔２８と同形状の窓孔３１が穿設されている。前記両パネル２６，２７の窓孔２８はプレス加工により穿設し、前記各芯材２９，３０の窓孔３１は切削加工により穿設するが、ＮＣ加工等によれば形状の狂いはなく、前記両窓孔２８，３１を正確に合致させることが可能である。
【００１６】
前記両芯材２９，３０間の周辺部には上辺部を除き弾性材料、例えば合成ゴム製の板受材３２が挟設され、前記両芯材２９，３０間に間隙３３が形成されている。該間隙３３は幅が窓板材、例えばガラス板３４の厚さより僅かに厚く、上端部には該ガラス板３４が挿入可能な開放部３５が形成されている。
【００１７】
前記各芯材２９，３０の内周端部の前記両パネル２６，２７側各綾部は面取りされ、前記各芯材２９，３０の内周端面及び面取面３６には塗装仕上げが施されている。
【００１８】
前記力骨２５には前記開放部３５に対向する位置、例えば上辺部にガラス板挿入孔３７が穿設されると共に蓋板３８がネジ等締結具３９により着脱可能に設けられ、前記ガラス板挿入孔３７は前記蓋板３８により閉塞可能となっている。
【００１９】
前記両パネル２６，２７間の前記芯材２９，３０が配設されていない部分は充填剤４０、例えば紙、或は断熱材で充填されている。
【００２０】
又、前記各パネル２６，２７の表面側の左右どちらか一方の所要位置にはそれぞれ取手４１が設けられている。
【００２１】
以下、前記ガラス板３４の取付手順を説明する。
【００２２】
前記蓋板３８を取外した状態で、上方から前記ガラス板挿入孔３７を通して前記ガラス板３４を前記間隙３３に挿入する。前記ガラス板３４は前記芯材２９，３０間に保持され、前記窓孔３１は前記ガラス板３４で閉塞される。
【００２３】
前記蓋板３８を前記締結具３９で前記力骨２５に取付け前記ガラス板挿入孔３７を閉塞させる。前記窓孔３１の内外両面側から前記各芯材２９，３０と前記ガラス板３４との隙間に全周に亘りバックアップ材４２を嵌入し、更にコーキング材４３を注入し、前記ガラス板３４を固定する。
【００２４】
該ガラス板３４の着脱は前記各パネル２６、２７の表面側から行われるのではなく、上方から行われるので、防犯上の理由で扉体の取付け方向性が決定されることがなく、施工作業が簡素化される。
【００２５】
尚、上記実施の形態に於いては、上方から前記ガラス板３４を挿脱可能としたが、前記間隙３３の側端部に開放部３５を形成させると共に前記力骨２５の側端面に前記ガラス板挿入孔３７、蓋板３８等を設け、前記ガラス板３４を側方から挿脱可能としてもよい。又、上方及び側方の複数方向から前記ガラス板３４を挿脱可能としてもよい。
【００２６】
又、前記板受材３２は、一方の芯材の周辺部に前記ガラス板３４の板厚に相当する段差を形成させることで省略してもよく、更に、前記両芯材２９，３０と前記板受材３２を共に合成樹脂製とし一体成形してもよい。
【００２７】
更に又、前記ガラス板３４を前記両芯材２９，３０で挟持一体化し、一体化後前記外面パネル２６、内面パネル２７間に挿入してもよい。
【００２８】
又、前記芯材２９，３０の窓孔３１は前記両パネル２６，２７の窓孔２８と同形状以上の大きさであれば同形状でなくともよい。
【００２９】
更に、前記両パネル２６，２７の窓孔２８は、図４に示す様に半径の異なる２種類の円弧を組合わせて三日月形に穿設し形成させたり、又、図５に示す様に大小の２種類の矩形を上下に配設してオリオン座形に穿設し形成させたり、更に、図６に示す様に円形の窓孔２８を穿設した後、前記両パネル２６，２７の表面に帯板４４を取付けて土星形とする等種々の複雑な形状であっても容易に形成可能である。
【００３０】
更に又、前記芯材２９，３０の材質は合成樹脂、金属型材、ペーパーコア材、金属コア材等であってもよく、合成樹脂の場合、モールド成形品とし、前記窓孔３１は前記芯材２９，３０の成形時に同時に形成してもよい。又、一方の芯材の周辺部に前記ガラス板３４の板厚に相当する段差を形成させ前記板受材３２を省略した場合、段差を形成させた一方の芯材の材質を木材とし、他方の芯材を合成樹脂等とする等、両芯材の材質を同一にしなくてもよい。前記芯材の材質を木材とした場合には、加工性が良いので作業性が一段と向上すると共に緩衝材にもなり、窓板材の損傷、破損等を防止することができる。
【００３１】
又、前記窓板材は前記ガラス板３４に限らず、アクリル板、パンチングメタル等の多孔板材、網目状シート板材等、金属製或は合成樹脂製の板材であってもよい。
【００３２】
又、上記した発明は扉体に限らず、間仕切、オーバーヘッドドアを含むパネルシャッタのパネル等にも実施可能であることは言う迄もない。
【００３３】
【発明の効果】
以上述べた如く本発明によれば、窓孔はパネルと芯材を穿設して形成されるので、前記窓孔が複雑な形状でも容易に加工でき、該窓孔形状のデザインの自由度が向上する。
【００３４】
又、前記芯材の窓孔の形状は前記パネルの窓孔の形状より大きくてもよく、前記パネルの窓孔の形状に左右されず前記芯材に窓孔を穿設できるので、該芯材の共通化を図ることができ、生産性の向上を図ることができる。
【００３５】
更に、窓板材の形状は窓孔の形状に左右されることなく、常に単純な形状とすることができるので、窓板材の加工が容易となる。
【００３６】
更に又、窓板材の挿脱作業は前記間隙の少なくとも一辺の開放部から行い、パネルの表面側からは行わないので、防犯上の理由からパネル等の取付方向が決定されることが無く、製品の共通化、施工作業の簡素化が図れる等種々の優れた効果を発揮する。
【図面の簡単な説明】
【図１】本発明の実施の形態を示す正面図である。
【図２】図１のＡ−Ａ矢視図である。
【図３】図１のＢ−Ｂ矢視図である。
【図４】該実施の形態に於いて、窓孔が三日月形の場合を示す正面図である。
【図５】該実施の形態に於いて、窓孔がオリオン座形の場合を示す正面図である。
【図６】該実施の形態に於いて、窓孔が土星形の場合を示す正面図である。
【図７】従来例を示す縦断面図であり、図１のＡ−Ａ矢視相当図である。
【図８】他の従来例を示す縦断面図であり、図１のＡ−Ａ矢視相当図である。
【図９】他の従来例を示す横断面図であり、図１のＢ−Ｂ矢視相当図である。
【符号の説明】
２６        外面パネル
２７        内面パネル
２８        窓孔
２９        芯材
３０        芯材
３１        窓孔
３２        板受材
３３        間隙
３４        ガラス板
３５        開放部
【図１】
0003633800.tif 000002
【図２】
0003633800.tif 000003
【図３】
0003633800.tif 000004
【図４】
0003633800.tif 000005
【図５】
0003633800.tif 000006
【図６】
0003633800.tif 000007
【図７】
0003633800.tif 000008
【図８】
0003633800.tif 000009
【図９】
0003633800.tif 000010